(57)【特許請求の範囲】
【請求項１】
床面上に設置されるベースと、該ベース上部の前後に被着される前面パネルおよび背面カバーとで室内機の本体を構成し、前記背面カバーには空気吸込口が設けられると共に、前記前面パネルには温風吹出口が設けられ、前記本体内に空気吸込口から温風吹出口を結ぶ空気経路に送風ファンと熱交換器とを備えた温風暖房機に於いて、前記前面パネルは前面上パネルと、該前面上パネルの下方に位置し、温風吹出口が設けられている前面下パネルとからなり、該前面下パネルは温風吹出口が設けられている合成樹脂製の前面下パネル本体と、該前面下パネル本体の温風吹出口に取り付けられる合成樹脂製の吹出しグリルとを備え、前記前面下パネル本体の両端上部に爪部を設け、前記前面下パネルの温風吹出口の上方に金属製で両端を折曲げた帯状の化粧バンドを取り付けると共に、前記本体の側面下部で前面下パネルが組み付けられる前面下パネル組付け部を、前面下パネルを組み付けた時、化粧バンドの端部の折曲げ部分が位置する先端部と、該先端部より内側に位置し、前面下パネルを組み付けた時、爪部が位置する中部とにより段状に形成し、前記前面下パネルを組み付けた時、前記先端部と化粧バンドの端の折曲げ部分との間に所定間隔の隙間を形成すると共に、爪部が中部と接触する状態となることを特徴とする温風暖房機。
【発明の詳細な説明】
【技術分野】
【０００１】
本発明は、ファンコンベクタと呼ばれる温風暖房機の構造に関するものである。
【背景技術】
【０００２】
従来、この種のものに於いては、ベース１０１と、該ベース１０１の背面側を被い、背面上部に吸込口１０２を有する背面カバー１０３と、前記ベース１０１の前面側を被い、前面下部に吹出口１０４を備えた金属製からなる前面パネル１０５と、該前面パネル１０５と前記背面カバー１０３の間に設けられ、上面および側面を被う側面パネル１０６とにより温風暖房機の本体が構成され、該本体内には、前記ベース１０１上に載置された本体ケーシング１０７と、該本体ケーシング１０７の背面上部に、前記吸込口１０２に臨ませ、上部を前方に傾斜させ配設された熱交換器１０８と、該熱交換器１０８の下部の背面を円弧状の壁で被われた前記本体ケーシング１０７に配設された送風ファン１０９とが設けられ、前記熱交換器１０８に室外機にて加熱された温水を供給して循環させながら放熱することによって、前記吸込口１０２から吸い込まれた空気を熱交換し、前記熱交換器１０８で熱交換された暖められた温風を送風ファン１０９にて前記吹出口１０４より室内に向けて送出されるようになっていた。
（例えば、特許文献１参照。）
【先行技術文献】
【特許文献】
【０００３】
【特許文献１】特開平１１−１４１９０３号公報
【発明の概要】
【発明が解決しようとする課題】
【０００４】
ところで、この従来のものでは、ベースの前面側を被う前面パネルは、吹出口を備えた金属製の一つの部品により構成されていたが、吹出口に合成樹脂製の吹出しルーバーを設け、更に該吹出しルーバーよりも風上側に温風の左右の方向を調整する可動式の風向板を設ける場合、吹出口周辺が金属製だと合成樹脂製の吹出しルーバーや風向板を組み付けづらいため、前面パネルを吹出口を含む合成樹脂製の前面下パネルと、該合成樹脂製の部品の上方に位置する金属製の前面上パネル部品との二つのパネルで構成するようにすると、その２つのパネルの合わせ目が水平方向に線上に現われて外観的に好ましくないものとなってしまう。
【０００５】
そこで、外観的に好ましいものとするため、前面下パネル上方に金属製で両端を折曲げた帯状の化粧バンドを取り付ける構造にして前面下パネルを取り付けた時、化粧バンドの両端が本体の側面パネルの側面板の内側に位置するが、温風暖房を開始して前面下パネル自身の温度が上がると、前面下パネル自身の反りが真っ直ぐになるように変形し、それにより化粧バンドの両端が側面パネルの側面板を乗り上げて音を発し、温風暖房を停止して前面下パネル自身の温度が下がると、前面下パネル自身の反りが元に戻るように変形し、それにより側面パネルの側面板を乗り上げていた化粧バンドの両端が側面パネルの側面板の内側に戻って音を発するという課題が発生した。
【０００６】
そこで、化粧バンドの両端の折曲げを長くすると、音の発生は防止できるが、化粧バンドの折曲げ部分と前面下パネルの端部の曲面部分とに隙間が生じて密着しないという別の課題が発生した。
【課題を解決するための手段】
【０００７】
上記課題を解決するために、本発明の請求項１では、床面上に設置されるベースと、該ベース上部の前後に被着される前面パネルおよび背面カバーとで室内機の本体を構成し、前記背面カバーには空気吸込口が設けられると共に、前記前面パネルには温風吹出口が設けられ、前記本体内に空気吸込口から温風吹出口を結ぶ空気経路に送風ファンと熱交換器とを備えた温風暖房機に於いて、前記前面パネルは前面上パネルと、該前面上パネルの下方に位置し、温風吹出口が設けられている前面下パネルとからなり、該前面下パネルは温風吹出口が設けられている合成樹脂製の前面下パネル本体と、該前面下パネル本体の温風吹出口に取り付けられる合成樹脂製の吹出しグリルとを備え、前記前面下パネル本体の両端上部に爪部を設け、前記前面下パネルの温風吹出口の上方に金属製で両端を折曲げた帯状の化粧バンドを取り付けると共に、前記本体の側面下部で前面下パネルが組み付けられる前面下パネル組付け部を、前面下パネルを組み付けた時、化粧バンドの端部の折曲げ部分が位置する先端部と、該先端部より内側に位置し、前面下パネルを組み付けた時、爪部が位置する中部とにより段状に形成し、前記前面下パネルを組み付けた時、前記先端部と化粧バンドの端の折曲げ部分との間に所定間隔の隙間を形成すると共に、爪部が中部と接触する状態となるものである。
【発明の効果】
【０００９】
この発明の請求項１によれば、前面パネルは前面上パネルと、該前面上パネルの下方に位置し、温風吹出口が設けられている前面下パネルとからなり、該前面下パネルは温風吹出口が設けられている合成樹脂製の前面下パネル本体と、該前面下パネル本体の温風吹出口に取り付けられる合成樹脂製の吹出しグリルとを備え、前記前面下パネル本体の両端上部に爪部を設けたので、運転を開始して前面下パネルの温度が上昇し、前面下パネルが膨張して前面下パネル自身の反りが真っ直ぐになるように変形しようとするが、爪部が室内機の本体内の側面に接触して前面下パネルが変形できず、前面下パネルの端部が室内機の本体の側面の端部を乗り上げるのを防止でき、前面下パネルの端部が室内機の本体の側面の端部を乗り上げる時及び乗り上げている前面下パネルの端部が元に戻る時に音が発生するのを防止できるものである。
【００１０】
又、前面下パネルの温風吹出口の上方に金属製で両端を折曲げた帯状の化粧バンドを取り付けると共に、前記本体の側面下部で前面下パネルが組み付けられる前面下パネル組付け部を、前面下パネルを組み付けた時、化粧バンドの端部の折曲げ部分が位置する先端部と、該先端部より内側に位置し、前面下パネルを組み付けた時、爪部が位置する中部とにより段状に形成し、前記前面下パネルを組み付けた時、前記先端部と化粧バンドの端の折曲げ部分との間に所定間隔の隙間を形成すると共に、爪部が中部と接触する状態となるので、運転を開始して前面下パネルの温度が上昇すると、前面下パネルが膨張して前面下パネル自身の反りが真っ直ぐになるように変形しようとするが、前面下パネル本体の爪部が前面下パネル組付け部の中部と接触しているため前面下パネルが変形できず、前面下パネル組付け部の先端部と化粧バンドの端の折曲げ部分との隙間は所定間隔のままで、化粧バンドの端の折曲げ部分が前面下パネル組付け部の先端部を乗り上げることがなく、化粧バンドの端の折曲げ部分が前面下パネル組付け部の先端部を乗り上げるのを防止して乗り上げ時の音の発生を防止でき、又、運転停止して前面下パネルの温度が下降しても、化粧バンドの端の折曲げ部分が前面下パネル組付け部の先端部に乗り上げていないので、乗り上げている状態から元に戻る時の音の発生を防止できるものである。
【図面の簡単な説明】
【００１１】
【図１】この発明の一実施例を付した温風暖房機の外観斜視図。
【図２】同前面下パネルを分解した温風暖房機の外観斜視図。
【図３】同前面下パネルの背面の斜視図。
【図４】同端部の正面図。
【図５】同平面図。
【図６】同左側面図。
【図７】同右側面図。
【図８】同背面図。
【図９】同前面下パネルを組み付けた時の要部平面図。
【図１０】従来例の分解斜視図。
【発明を実施するための形態】
【００１２】
次にこの発明に係る温風暖房機を図面に示す一実施例で説明する。
１は温風暖房機の本体で、床面上に設置されるベース２と、該ベース２上部の前後に被着される前面パネル３および背面カバー４とで構成され、前記背面カバー４には空気吸込口（図示せず）が設けられると共に、前記前面パネル３は金属製の前面上パネル５と、該前面上パネル５の下方に位置し、温風吹出口６が設けられている合成樹脂製の前面下パネル７とからなるものである。
【００１３】
そして前記本体１内には背面カバー４の空気吸込口から前面パネル３の温風吹出口６を結ぶ空気経路に送風ファン（図示せず）と熱交換器（図示せず）とを備え、熱源機である室外機（図示せず）により加熱された温水が前記熱交換器に循環され、同熱交換器によって前記空気吸込口から吸い込まれた空気が熱交換されたのち、前記送風ファンによって前記温風吹出口６から室内に吹き出されるものである。
【００１４】
前記前面下パネル７は、温風吹出口６が設けられている合成樹脂製の前面下パネル本体８と、該前面下パネル本体８の温風吹出口６に取り付けられる合成樹脂製の吹出しグリル９と、前面下パネル本体８の温風吹出口６の上方に取り付けられる金属製で両端を折曲げた帯状の化粧バンド１０とからなるものである。
【００１５】
又、前記前面下パネル本体８の温風吹出口６の下端には、吹き出す温風の方向を手動で左右に調整するための風向板ユニット１１が取り付けられる風向板取付部１２が設けられており、前面下パネル本体８の下端には、ベース２に形成した差し込み孔１３に差し込まれる差し込み片１４が複数形成されているものである。
【００１６】
又、前記化粧バンド１０には、帯状の上端部分及び下端部分に折曲げ自在な固定片１５が複数設けられ、又、化粧バンド１０の両端にも固定片１５が設けられており、化粧バンド１０を前面下パネル本体８に取り付けた状態で固定片１５を折曲げることにより、化粧バンド１０を前面下パネル本体８に固定するものである。
【００１７】
又、前記前面下パネル本体８の両端上部には、上下に爪部１６が設けられ、この上下の爪部１６の間は凹状の固定片受け部１７が形成されており、この固定片受け部１７に化粧バンド１０の両端の固定片１５が折曲げられるものである。
【００１８】
又、本体１の側面下部で前面下パネル７が組み付けられる前面下パネル組付け部１８は段状に形成され、前面下パネル７を組み付けた時、化粧バンド１０の端部の折曲げ部分が位置する先端部１９と、その先端部１９より内側に位置し、前面下パネル７を組み付けた時、前面下パネル本体８の爪部１６が位置する中部２０が形成されているものである。
【００１９】
そして前面下パネル７は、まず前面下パネル本体８の差し込み片１４をベース２に形成した差し込み孔１３に差し込み、前面下パネル７の両端を本体１の前面下パネル組付け部１８に組み付け、そしてネジ２１を前面下パネル本体８の温風吹出口６の上部に形成したネジ孔２２に差し込むと、ネジ２１の先端が前面パネル３と熱交換器との間に配置する熱交カバー（図示せず）に形成したネジ受け部（図示せず）に位置するので、その状態でネジ２１を回して前面下パネル７を固定するものである。
【００２０】
次に運転開始して前面下パネル７の温度が上昇した時と、運転停止して前面下パネル７の温度が下降した時の前面下パネル７の組み付け状態について説明する。
まず、運転停止状態で前面下パネル７の温度が低い状態では、前面下パネル組付け部１８の先端部１９と化粧バンド１０の端の折曲げ部分との隙間は０．７ｍｍ、前面下パネル組付け部１８の中部２０と前面下パネル本体８の爪部１６は接触した状態となっている。
【００２１】
この状態で運転を開始して前面下パネル７の温度が上昇すると、前面下パネル７が膨張して前面下パネル７自身の反りが真っ直ぐになるように変形しようとするが、前面下パネル本体８の爪部１６が前面下パネル組付け部１８の中部２０と接触しているため前面下パネル７が変形できず、前面下パネル組付け部１８の先端部１９と化粧バンド１０の端の折曲げ部分との隙間は０．７ｍｍのままで、化粧バンド１０の端の折曲げ部分が前面下パネル組付け部１８の先端部１９を乗り上げることがなく、化粧バンド１０の端の折曲げ部分が前面下パネル組付け部１８の先端部１９を乗り上げるのを防止できるものである。
【００２２】
又、運転状態から運転を停止して前面下パネル７の温度が下降すると、膨張していた前面下パネル７が収縮して前面下パネル７自身の反りに戻ろうと変形しようとするが、前面下パネル７が膨張していたことで前面下パネル組付け部１８の中部２０を強く押圧していた前面下パネル本体８の爪部１６が元の状態に戻り、運転開始前の接触状態に戻るものである。
【００２３】
以上のように、前面下パネル本体８の両端上部に爪部１６を形成し、前面下パネル組付け部１８の中部２０と接触する構造としたことにより、化粧バンドの両端の折曲げを短くして化粧バンドの折曲げ部分と前面下パネルの端部の曲面部分とに隙間が生じないように密着させた状態を保持しつつ、運転開始して前面下パネル７の温度が上昇して前面下パネル７自身の反りが真っ直ぐになるように変形しようとしても、爪部１６が中部２０と接触して化粧バンド１０の端の折曲げ部分が前面下パネル組付け部１８の先端部１９を乗り上げるのを防止し、乗り上げ時の音の発生を防止できるものである。
【００２４】
又、運転停止して前面下パネル７の温度が下降して前面下パネル７が暖房開始前の反りの状態に戻ろうと変形しようとしても、前面下パネル組付け部１８の中部２０を強く押圧していた前面下パネル本体８の爪部１６が元の状態に戻り、運転開始前の接触状態に戻るだけなので、化粧バンド１０の端の折曲げ部分が前面下パネル組付け部１８の先端部１９を乗り上げている状態から元に戻る時の音の発生を防止できるものである。
【符号の説明】
【００２５】
１  温風暖房機の本体
２  ベース
３  前面パネル
４  背面カバー
５  前面上パネル
６  温風吹出口
７  前面下パネル
８  前面下パネル本体
９  吹出しグリル
１６  爪部
【図１】
0006434331.tif 000002
【図２】
0006434331.tif 000003
【図３】
0006434331.tif 000004
【図４】
0006434331.tif 000005
【図５】
0006434331.tif 000006
【図６】
0006434331.tif 000007
【図７】
0006434331.tif 000008
【図８】
0006434331.tif 000009
【図９】
0006434331.tif 000010
【図１０】
0006434331.tif 000011